【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
近点被写体にピントが合った近点画像と、前記近点被写体よりも遠い遠点被写体にピントが合った遠点画像を取得する画像取得部と、
前記遠点画像の露光量に対する前記近点画像の露光量の比率を調整する露光量調整部と、
前記近点画像のピントが合っている第１領域と前記遠点画像のピントが合っている第２領域を選択することで、合成画像を生成する合成画像生成部と、
を含み、
前記合成画像生成部は、
前記比率が調整された露光量により取得された前記近点画像と前記遠点画像に基づいて前記合成画像を生成することを特徴とする撮像装置。
【請求項２】
請求項１において、
前記露光量調整部は、
前記比率を調整することにより、前記近点画像のピントが合っている前記第１領域の露光量と、前記遠点画像のピントが合っている前記第２領域の露光量とを近づける露光量調整を行うことを特徴とする撮像装置。
【請求項３】
請求項２において、
前記露光量調整部は、
前記遠点画像の露光量に対する前記近点画像の露光量の前記比率を所定の基準値以下に調整することで、前記近点画像の露光量を小さくする調整を行い、前記近点画像のピントが合っている前記第１領域の露光量と前記遠点画像のピントが合っている前記第２領域の露光量を近づけることを特徴とする撮像装置。
【請求項４】
請求項３において、
前記露光量調整部は、
照明光を被写体に照射することにより得られる前記被写体からの反射光を、前記近点画像に対応する第１反射光と前記遠点画像に対応する第２反射光に分割する分割部を有し、
前記分割部は、
前記第１反射光の光量に対する前記第２反射光の光量を前記比率で分割し、前記分割部から第１距離に配置された第１撮像素子に対して前記第１反射光を出射し、前記分割部から前記第１距離とは異なる第２距離に配置された第２撮像素子に対して前記第２反射光を出射し、
前記画像取得部は、
前記第１撮像素子の撮像により得られた前記近点画像を取得し、前記第２撮像素子の撮像により得られた前記遠点画像を取得することを特徴とする撮像装置。
【請求項５】
請求項１において、
前記合成画像生成部は、
前記近点画像と前記遠点画像の処理対象画素についての鮮鋭度を算出する鮮鋭度算出部と、
前記合成画像の前記処理対象画素の画素値を、前記鮮鋭度と前記近点画像の画素値と前記遠点画像の画素値に基づいて決定する画素値決定部と、
を有することを特徴とする撮像装置。
【請求項６】
請求項５において、
画素値決定部は、
前記近点画像の前記処理対象画素の前記鮮鋭度が、前記遠点画像の前記処理対象画素の前記鮮鋭度よりも大きい場合には、前記近点画像の前記処理対象画素の画素値を前記合成画像の前記処理対象画素の画素値とし、
前記遠点画像の前記処理対象画素の前記鮮鋭度が、前記近点画像の前記処理対象画素の前記鮮鋭度よりも大きい場合には、前記遠点画像の前記処理対象画素の画素値を前記合成画像の前記処理対象画素の画素値とすることを特徴とする撮像装置。
【請求項７】
請求項５において、
前記画素値決定部は、
前記近点画像と前記遠点画像の前記処理対象画素の画素値を前記鮮鋭度に基づいて加重平均して、前記合成画像の前記処理対象画素の画素値を算出することを特徴とする撮像装置。
【請求項８】
請求項５において、
前記画素値決定部は、
前記近点画像と前記遠点画像の前記処理対象画素の前記鮮鋭度の差分値の絶対値が閾値よりも小さい場合、前記近点画像と前記遠点画像の前記処理対象画素の画素値を平均して、前記合成画像の前記処理対象画素の画素値を算出することを特徴とする撮像装置。
【請求項９】
請求項１において、
前記露光量調整部は、
照明光を被写体に照射することにより得られる前記被写体からの反射光を分割する分割部を有し、
前記画像取得部は、
前記分割部から第１距離に配置された第１撮像素子の撮像により前記近点画像を取得し、前記分割部から前記第１距離とは異なる第２距離に配置された第２撮像素子の撮像により前記遠点画像を取得することを特徴とする撮像装置。
【請求項１０】
請求項１において、
前記露光量調整部は、
固定された前記比率により露光量を調整することを特徴とする撮像装置。
【請求項１１】
請求項１０において、
前記露光量調整部は、
照明光を被写体に照射することにより得られる前記被写体からの反射光を第１反射光と第２反射光に分割する少なくとも１つのビームスプリッターを有し、
前記少なくとも１つのビームスプリッターは、
前記第２反射光に対する前記第１反射光の光量を前記固定された比率で分割することを特徴とする撮像装置。
【請求項１２】
請求項１において、
前記露光量調整部は、
可変の前記比率により露光量を調整することを特徴とする撮像装置。
【請求項１３】
請求項１２において、
前記露光量調整部は、
前記比率を観察状態に応じて調整することを特徴とする撮像装置。
【請求項１４】
請求項１３において、
前記観察状態は前記近点画像と前記遠点画像のピント位置に応じて設定され、
前記露光量調整部は、
前記ピント位置に応じて前記比率を調整することを特徴とする撮像装置。
【請求項１５】
請求項１４において、
前記露光量調整部は、
通常観察状態では、前記比率を第１比率に設定し、
前記通常観察状態における前記ピント位置よりも近いピント位置の拡大観察状態では、前記第１比率よりも大きい第２比率に前記比率を設定することを特徴とする撮像装置。
【請求項１６】
請求項１２において、
前記露光量調整部は、
前記近点画像のピントが合っている領域の平均輝度と、前記遠点画像のピントが合っている領域の平均輝度との差が小さくなるように前記比率を調整することを特徴とする撮像装置。
【請求項１７】
請求項１２において、
前記露光量調整部は、
照明光を被写体に照射することにより得られる前記被写体からの反射光を第１反射光と第２反射光に分割する少なくとも１つの調光ミラーを有し、
前記少なくとも１つの調光ミラーは、
前記第２反射光に対する前記第１反射光の光量を前記可変の比率で分割することを特徴とする撮像装置。
【請求項１８】
請求項１２において、
前記露光量調整部は、
照明光を被写体に照射することにより得られる前記被写体からの反射光を第１反射光と第２反射光に分割する分割部と、
前記第２反射光に対する前記第１反射光の光量を前記可変の比率に調整する少なくとも１つの可変絞りと、
を有することを特徴とする撮像装置。
【請求項１９】
請求項１２において、
前記露光量調整部は、
照明光を被写体に照射することにより得られる前記被写体からの反射光を第１反射光と第２反射光に分割する分割部と、
前記第２反射光に対する前記第１反射光の光量を前記可変の比率に調整する少なくとも１つの液晶シャッターと、
を有することを特徴とする撮像装置。
【請求項２０】
請求項１において、
ピント位置を制御するピント位置制御部を含み、
前記画像取得部は、
第１ピント位置に設定される第１タイミングにおいて得られた画像を前記近点画像として取得し、前記第１ピント位置とは異なる第２ピント位置に設定される第２タイミングにおいて得られた画像を前記遠点画像として取得することを特徴とする撮像装置。
【請求項２１】
請求項２０において、
前記露光量調整部は、
被写体を照明する照明光の光量を、第１のタイミングと第２のタイミングにおいて異なる光量に制御することで、前記遠点画像の露光量に対する前記近点画像の露光量の前記比率を調整することを特徴とする撮像装置。
【請求項２２】
請求項２０において、
前記合成画像生成部は、
前記近点画像と前記遠点画像の動き補償処理を行う動き補償処理部を有し、
前記合成画像生成部は、
前記動き補償処理後の前記近点画像と前記遠点画像に基づいて、前記合成画像を生成することを特徴とする撮像装置。
【請求項２３】
近点被写体にピントが合った近点画像と、前記近点被写体よりも遠い遠点被写体にピントが合った遠点画像を取得する画像取得部と、
前記遠点画像の露光量に対する前記近点画像の露光量の比率を調整する露光量調整部と、
前記近点画像のピントが合っている第１領域と前記遠点画像のピントが合っている第２領域を選択することで、合成画像を生成する合成画像生成部と、
を含み、
前記合成画像生成部は、
前記比率が調整された露光量により取得された前記近点画像と前記遠点画像に基づいて前記合成画像を生成することを特徴とする内視鏡装置。
【請求項２４】
近点被写体にピントが合った近点画像と、前記近点被写体よりも遠い遠点被写体にピントが合った遠点画像を取得し、
前記遠点画像の露光量に対する前記近点画像の露光量の比率を調整し、
前記近点画像のピントが合っている第１領域と前記遠点画像のピントが合っている第２領域を選択することで、合成画像を生成する場合に、
前記比率が調整された露光量により取得された前記近点画像と前記遠点画像に基づいて前記合成画像を生成することを特徴とする画像生成方法。